(57)【要約】【課題】水平偏向コイルにインナーピンの補正が可能なセクションを備えることにより、インナーピンを補正するための別途の回路を省略することが可能な偏向ヨークの水平偏向コイルを提供すること。【解決手段】水平偏向コイルを備える偏向ヨークにおいて、前記水平偏向コイルは、スクリーンベントに連結されるインナーピン改善セクションを備え、前記インナーピン改善セクションに連結されたサブセクションを備えるが、前記インナーピン改善セクションは４５°〜６０°の範囲内に位置するように形成され、前記サブセクションは水平成分のグリーンワイド化を抑えるためのＨＣＲ改善セクションと、垂直成分のグリーンワイド化を抑えるためのＶＣＲ改善セクションとから構成される。【選択図】        図５
2004259690.tif 000002
【特許請求の範囲】
【請求項１】
偏向ヨークの水平偏向コイルにおいて、
前記水平偏向コイルは、スクリーンベントに連結されるインナーピン改善セクションと、該インナーピン改善セクションに連結されたサブセクションを備え、
前記インナーピン改善セクションは４５°〜６０°の範囲内に位置するように形成され、
前記サブセクションは水平成分のグリーンワイド化を抑えるためのＨＣＲ改善セクションと、垂直成分のグリーンワイド化を抑えるためのＶＣＲ改善セクションとから構成されることを特徴とする水平偏向コイル。
【請求項２】
前記ＨＣＲ改善セクションは、スクリーン側の一端がスクリーンベントに連結され、他端が前記インナーピン改善セクションに連結され、
前記ＶＣＲ改善セクションは、スクリーン側の一端が前記インナーピン改善セクションのスクリーンベント連結部位に連結され、他端が隣接した他のセクションに連結されることを特徴とする請求項１記載の水平偏向コイル。
【請求項３】
前記ＨＣＲ改善セクションの他端は前記インナーピン改善セクションの長さの１／２〜２／３の地点に連結されることを特徴とする請求項２記載の水平偏向コイル。
【請求項４】
前記ＨＣＲ改善セクションとＶＣＲ改善セクションは互いに平行に形成されることを特徴とする請求項２又は３記載の水平偏向コイル。
【請求項５】
前記インナーピン改善セクションのワイヤ分布は、前記ＨＣＲ改善セクションのワイヤ分布とＶＣＲ改善セクションのワイヤ分布とを合わせたものより大きいことを特徴とする請求項１記載の水平偏向コイル。
【請求項６】
インナーピン改善セクションと、該インナーピン改善セクションに連結されたサブセクション、すなわち水平成分のグリーンワイド化を抑えるためのＨＣＲ改善セクションと、垂直成分のグリーンワイド化を抑えるためのＶＣＲ改善セクションとが形成された水平偏向コイルを使用することにより、インナーピンを補正するためのインナーピンモジュールの省略が可能であることを特徴とする偏向ヨーク。
【請求項７】
前記インナーピン改善セクションは４５°〜６０°の範囲内に位置するように形成され、前記ＨＣＲ改善セクションはスクリーン側の一端がスクリーンベントに連結され、他端が前記インナーピン改善セクションに連結され、前記ＶＣＲ改善セクションはスクリーン側の一端が前記インナーピン改善セクションのスクリーンベント連結部位に連結され、他端が隣接した他のセクションに連結されることを特徴とする請求項６記載の偏向ヨーク。
【請求項８】
前記ＨＣＲ改善セクションの他端は前記インナーピン改善セクションの長さの１／２〜２／３の地点に連結されることを特徴とする請求項７記載の偏向ヨーク。
【請求項９】
前記ＨＣＲ改善セクションとＶＣＲ改善セクションは互いに平行に形成されることを特徴とする請求項７又は８記載の偏向ヨーク。
【請求項１０】
前記インナーピン改善セクションのワイヤ分布は、前記ＨＣＲ改善セクションのワイヤ分布とＶＣＲ改善セクションのワイヤ分布とを合わせたものより大きいことを特徴とする請求項６記載の偏向ヨーク。
【発明の詳細な説明】
【０００１】
【発明の属する技術分野】
本発明は、ＣＲＴに使用される偏向ヨークの水平偏向コイルに関し、より詳細には、水平偏向コイルに、インナーピンの補正が可能なセクションを備えることにより、インナーピンを補正するための別途の回路を省略することが可能な偏向ヨークの水平偏向コイルに関するものである。
【０００２】
【従来の技術】
最近、ディスプレイ市場の動向は、スクリーンの平面化、大型化、高精細化及び低電力化だけでなく、設置空間を減らして効率性を向上させるためにスリム化を追求している。
ディスプレイ装置の一つであるコンピュータモニターも、これと同様に、スクリーンの平面化、大型化、高精細化及びスリム化の方向に技術の開発が行われているが、特に、強化される各種環境規格に対応するために、消費電力を低めるとともに有効画面を大型化することが可能な高品質のディスプレイ装置が求められている。
現在モニター市場は、年１０％程度の成長を重ねており、ＣＲＴモニターとＬＣＤモニターの両者に占有されている実情である。
ところが、ＬＣＤモニターは、技術力の飛躍的な発展に伴ってＣＲＴモニターとの差別性を打ち出して現在年５０％以上の成長をしている状況である。このような状況で、ＣＲＴモニターがＬＣＤモニターとの競争から生き残るための方法は、品質を向上させ且つ価格競争力を備えることである。
現在、ＣＲＴモニターの最大市場は、大型化及び平面化の傾向に合わせて１７”〜１９”サイズの平面型モニターである。
図１は従来のＣＲＴの一例である丸型ＣＲＴを示す図である。
従来の丸型ＣＲＴは、図１に示すように、丸型でスクリーンの前面に向かって突出するように大きく湾曲しているスクリーンパネル１と、前記スクリーンパネル１の後端にフリットガラスで融着されて陰極線管内を真空化するファンネル２と、前記ファンネル２の後端のネック部７内に装着され、電子ビーム４ａ、４ｂ、４ｃを放射する電子銃５と、前記電子銃５から放射された電子ビーム４ａ、４ｂ、４ｃをスクリーンに左右上下に偏向させる偏向ヨーク６とを含んでなる。
前記偏向ヨーク６は、ＣＲＴのネック部に水平方向と垂直方向の偏向磁界を加えるためのもので、陰極線管の電子銃から発射される電子ビーム４ａ、４ｂ、４ｃに垂直方向の偏向磁界を加えて前記電子ビーム４ａ、４ｂ、４ｃを垂直方向に偏向させる垂直偏向コイル（図示せず）と、前記電子ビーム４ａ、４ｂ、４ｃに水平方向の偏向磁界を加えて前記電子ビーム４ａ、４ｂ、４ｃを水平方向に偏向させる水平偏向コイル（図示せず）と、前記水平偏向コイル及び垂直偏向コイルの位置を精密に区分すると同時に、互いに電気的に絶縁できるようにするセパレイター（図示せず）と、水平偏向コイル及び垂直偏向コイルの磁界を強化させるフェライトコア（図示せず）とからなる。
前記水平偏向コイルと垂直偏向コイルは互いに直角に組み合わされ、電子銃５から走査される電子ビームに水平方向と垂直方向の偏向磁界を加える。
このような丸型モニターは、スクリーンパネル１がスクリーンの前面に向かって突出するように湾曲しているので、スクリーンの上部、中央、下部における、前記偏向ヨーク６からスクリーン部の蛍光面までの偏向距離があまり相違しないから、大きな歪み（ｄｉｓｔｏｒｔｉｏｎ）現象は発生しない。
すなわち、図１に示すように、従来の丸型スクリーンパネル１では、スクリーンの上側に発射される電子ビーム４ａの偏向距離Ａと、スクリーンの中央に発射される電子ビーム４ｂの偏向距離Ｂと、スクリーンの下側に発射される電子ビーム４Ｃの偏向距離Ｃとの距離差があまり大きくなく、これによりスクリーンにおける歪み現象は大きくない。
ところが、最近のディスプレイ市場の動向は、前述したようにスクリーン部のパネルをフラットに構成するスクリーンの平面化を追求するため、図２に示すように、スクリーンパネル１１が平面になっている。
このような平面型スクリーンパネル１１を備えたＣＲＴは、丸型の曲率を有するモニターに比べていろいろの利点はあるが、歪み特性において不利である。
すなわち、スクリーンパネル１１の平面化に伴って、図２に示すように、スクリーンの上側に発射される電子ビーム１４ａの偏向距離Ａ’と、スクリーンの下側に発射される電子ビーム１４ｃの偏向距離Ｃ’と、スクリーンの中央に発射される電子ビーム１４ｂの偏向距離Ｂ’との距離差が大きくなることにより、歪み現象が発生するという問題点が生じた。
このようにスクリーンの上部と下部の偏向距離Ａ’、Ｃ’と中央の偏向距離Ｂ’との差が発生することにより、スクリーンの正面では図３に示すように歪みによるインナーピン（ｉｎｎｅｒ  ｐｉｎ）現象が発生することになる。
一般に、偏向ヨークは、水平偏向コイルではピンクッション（ｐｉｎｃｕｓｈｉｏｎ）型磁界、垂直偏向コイルではバレル（ｂａｒｒｅｌ）型磁界を作って全体的に画面パターンを形成するが、通常の丸型パネルは、ブラウン管の曲率のためにインナーピンクッション歪みが殆ど現われず、やや現われても肉眼では分らない程度である。
ところが、平面ブラウン管の場合、画面の中央と左右最外郭地点の中間部分で縦線ピンクッション歪みの補正が足りなくてインナーピンクッションが現われる現象を見ることができる。
インナーピン（ｉｎｎｅｒ  ｐｉｎ）現象とは、図３に実線で示したように、ブラウン管に現われる画像がスクリーンの中央と最外郭地点の中間部分で画面の内側に湾曲するピンクッション歪みのことを意味する。
すなわち、図３に点線で示したように、画面の縦線がスクリーンの上部、中央及び下部を一直線で連結するように垂直線にならなければならないが、上述したインナーピン現象が発生すると、画像が内側に湾曲して見えるので、画面の質を低下させて高品質のブラウン管を提供することができないという問題点があった。
従って、このような現象を改善するために、偏向ヨークでは付加的な回路を使用するが、この回路をインナーピンモジュールと称する。
前記インナーピンモジュールは、ピンクッション（ｐｉｎｃｕｓｈｉｏｎ）型磁界を作る水平偏向コイルの縦線ピンクッション歪みが補正できるようにインナーピン現象を無くすことが可能な付加的な回路である。
前記インナーピンモジュールは、垂直偏向コイルと水平偏向コイルの相互インダクタンス（ｉｎｄｕｃｔａｎｃｅ）による誘導起電力によって動作する。
従来のインナーピンモジュールの一例を図４に示したので、これを参照してインナーピンモジュールについて説明すると、次の通りである。
２つの水平補正コイルＬ３、Ｌ４が互いに逆方向の磁界を発生するように巻線されており、この水平補正コイルＬ３、Ｌ４に固定偏向磁界を印加する永久磁石１９、２０及び一つの垂直補正コイルＬ７が備えられている。
前記水平補正コイルＬ３、Ｌ４は、永久磁石１９、２０によって固定偏向磁界が印加され、前記垂直補正コイルＬ７の作用によって、中間部では画面の大きさが小さくなり左右のコーナー部では画面の大きさが同等になって、画面上では左右ピン歪みが補正される。
前記水平補正コイルＬ３、Ｌ４に電流が流れると、図４に示すように、左側の水平補正コイルＬ３によって固定偏向磁界と反対の方向に磁界が発生し、右側の水平補正コイルＬ４によって固定偏向磁界と同一の方向に磁界が発生する。
ここで、左側の水平補正コイルＬ３が発生する磁界の方向は、永久磁石１９、２０によって固定偏向磁界とは反対の方向になる。
このように構成されたインナーピンモジュールは、前記垂直補正コイルＬ７と、水平補正コイルＬ３、Ｌ４の相互インダクタンスによる誘導起電力によって動作して、前記水平補正コイルＬ３、Ｌ４がピンクッション型磁界を作ることにより、縦線ピンクッション歪みを補正することができる。
ところが、このような従来の平面型ＣＲＴの場合、インナーピン歪みを補正するためには別途のインナーピンモジュールを必ず使用しなければならないという欠点があった。
このため、インナーピンモジュールを製作するための部品数の増加とともに偏向ヨークへのインナーピンモジュールの組立による組立工程の増加により、製造コストが上昇するという問題点をもつ。
【０００３】
【発明が解決しようとする課題】
本発明は、かかる問題点を解決するためのもので、その目的は、インナーピン回路を使用せずに偏向ヨークを構成する水平偏向コイルを用いてインナーピン補正を行うことにより、既存の製品からインナーピン回路を省略することが可能な偏向ヨークを提供することにある。
【０００４】
【課題を解決するための手段】
上記目的を達成するために、本発明では、水平偏向コイルを備える偏向ヨークにおいて、前記水平偏向コイルは、スクリーンベントに連結されるインナーピン改善セクションを備え、前記インナーピン改善セクションに連結されたサブセクションを備えるが、前記インナーピン改善セクションは４５°〜６０°の範囲内に位置するように形成され、前記サブセクションは水平成分のグリーンワイド化を抑えるためのＨＣＲ改善セクションと、垂直成分のグリーンワイド化を抑えるためのＶＣＲ改善セクションとから構成されることを特徴とする水平偏向コイルが提供される。
前記ＨＣＲ改善セクションは、スクリーン側の一端がスクリーンベントに連結され、他端が前記インナーピン改善セクションに連結され、前記ＶＣＲ改善セクションは、スクリーン側の一端が前記インナーピン改善セクションのスクリーンベント連結部位に連結され、他端が隣接した他のセクションに連結される。
ここで、前記ＨＣＲ改善セクションの他端は前記インナーピン改善セクションの長さの１／２〜２／３の地点に連結される。
また、前記ＨＣＲ改善セクションとＶＣＲ改善セクションは互いに平行に形成されることが好ましい。
また、前記インナーピン改善セクションのワイヤ分布は、前記ＨＣＲ改善セクションのワイヤ分布とＶＣＲ改善セクションのワイヤ分布とを合わせたものより大きいことを特徴とする。
また、上記目的を達成するために、本発明では、インナーピン改善セクションと、前記インナーピン改善セクションに連結されたサブセクション、すなわち水平成分のグリーンワイド化を抑えるためのＨＣＲ改善セクションと、垂直成分のグリーンワイド化を抑えるためのＶＣＲ改善セクションとが形成された水平偏向コイルを使用することにより、インナーピンを補正するためのインナーピンモジュールの省略が可能であることを特徴とする偏向ヨークが提供される。
【０００５】
【発明の実施の形態】
以下、本発明の偏向ヨークの水平偏向コイルを添付図に基づいて詳細に説明する。
本発明の水平偏向コイルは、図５に示すように、インナーピンを補正することが可能なインナーピン改善セクション３２が備えられている。
前記インナーピン改善セクション３２は、水平偏向コイル３０のスクリーンベント３１に連結されるように形成されるもので、４５°〜６０°の範囲内に位置する。
一般に、従来の水平偏向コイルは、スクリーンベントに連結されたセクションを５０°以上には分布させていないが、その理由は、５０°以上でのセクションがＲ（赤）／Ｂ（青）特性は良いがグリーン特性は著しく悪くなるためである。
すなわち、水平偏向コイルにおいて、５０°以上の位置に、スクリーンベントに連結されたセクションを形成すると、ＶＣＲ歪み及びＨＣＲ歪みが発生するという問題点があった。
前記ＶＣＲ歪みとは、赤ビーム（Ｒｅｄ）と青ビーム（Ｂｌｕｅ）はスクリーンに正確に走査される反面、緑ビーム（Ｇｒｅｅｎ）はスクリーンの各画素に正確に走査されず垂直方向に誤差が発生するミスコンバージェンス（Ｍｉｓｃｏｎｖｅｒｇｅｎｃｅ）のことをいい、ＨＣＲ歪みとは、赤ビームと青ビームはスクリーンに正確に走査される反面、緑ビームはスクリーンの各画素に正確に走査されず水平方向に誤差が発生するミスコンバージェンスのことをいう。
このように従来の水平偏向コイルでは、スクリーンベントに連結されたセクションを５０°以上に分布させると、前記ＶＣＲ歪み及びＨＣＲ歪みが発生して画質を低下させるので、一般に、スクリーンベントに連結されたセクションが５０°以上には分布していない。
これに対し、本発明の水平偏向コイル３０は、スクリーンベント３１に連結され且つ４５°〜６０°の範囲内に位置するインナーピン改善セクション３２を備え、該インナーピン改善セクション３２には２つのサブセクション３３、３４が連結されている。
前記２つのサブセクションは、前記インナーピン改善セクション３２を４５°〜６０°の範囲内に形成することにより、発生するＶＣＲ歪みとＨＣＲ歪みを補正するために形成するもので、水平成分のグリーンワイド化を抑えるためのＨＣＲ改善セクション３３と、垂直成分のグリーンワイド化を抑えるためのＶＣＲ改善セクション３４とからなる。
前記ＨＣＲ改善セクション３３は、スクリーン側の一端は前記スクリーンベント３１に連結され、他端は前記インナーピン改善セクション３２に連結されている。
また、前記ＶＣＲ改善セクション３４は、スクリーン側の一端が前記インナーピン改善セクション３２とスクリーンベント３１との連結部位に位置するように連結され、他端が隣接した他のセクションに連結される。
ここで、前記ＨＣＲ改善セクション３３とＶＣＲ改善セクション３４は、形成される長さ、角度及び位置などが非常に重要であるが、本発明のＨＣＲ改善セクション３３は、スクリーン側の一端が前記スクリーンベント３１に連結され且つ他端が前記インナーピン改善セクション３２に連結されるように形成されるが、この際、前記インナーピン改善セクション３２の長さの１／２〜２／３の地点にＨＣＲ改善セクション３３の他端が連結されるように形成される。
すなわち、前記インナーピン改善セクション３２はスクリーンベント３１に連結されて４５°〜６０°の範囲内に位置するように形成され、前記ＨＣＲ改善セクション３３は一端がスクリーンベント３１に連結され、他端が前記インナーピン改善セクション３２の１／２〜２／３の地点に連結されるので、アルファベット小文字「ｙ」の形状に似ている形状を有する。
また、前記ＶＣＲ改善セクション３４は、一端が前記スクリーンベント３１に連結されたインナーピン改善セクション３２の一端に連結され、他端が隣接した他のセクションに連結されるように形成されるが、本発明のＶＣＲ改善セクション３４は前記ＨＣＲ改善セクション３３に平行に形成される。
従って、前記ＨＣＲ改善セクション３３に平行になるように、前記ＶＣＲ改善セクション３４の他端は隣接したセクションの適当な位置に連結される。
このように前記ＶＣＲ改善セクション３４は、一端が前記スクリーンベント３１に連結されたインナーピン改善セクション３２に連結され、他端が前記ＨＣＲ改善セクション３３に平行になるようにして、隣接した他のセクションに連結されているので、前記ＨＣＲ改善セクション３３、インナーピン改善セクション３２及び前記ＶＣＲ改善セクション３４の連結形状はアルファベット「Ｎ」を裏返した形状に似ている。
このような本発明のＨＣＲ改善セクション３３、インナーピン改善セクション３２及びＶＣＲ改善セクション３４は、水平偏向コイルの両側に対称的に配置されるのは勿論、この際、前記インナーピン改善セクション３２、ＨＣＲ改善セクション３３及びＶＣＲ改善セクション３４の各ワイヤ分布において、前記インナーピン改善セクション３２のワイヤ分布は、前記ＨＣＲ改善セクション３３のワイヤ分布とＶＣＲ改善セクション３４のワイヤ分布とを合わせたものより大きくなるようにする。
以下、このような構成を有する本発明の水平偏向コイルの作用を説明する。
まず、本発明のインナーピン改善セクション３２、ＨＣＲ改善セクション３３及びＶＣＲ改善セクション３４がない従来の一般的な水平偏向コイルを設置した場合、スクリーン上に現われる画面は、図６に示すように、スクリーンの中央と最外郭地点の中間部分で画像が画面の内側に湾曲するインナーピン現象が発生する。
この際、発生するインナーピン歪みの量は１ｍｍ〜１．２ｍｍ程度である。
従って、従来の一般的な水平偏向コイルを設置したＣＲＴの場合、スクリーンの中央と最外郭地点の中間部分で１ｍｍ〜１．２ｍｍ程度のインナーピン歪みが発生するので、画面に表示される画像が均一ではなく、スクリーンの中央が内側に湾曲して見えるので、画質が大きく低下するのであった。
一方、前述した従来の一般的な水平偏向コイルに、４５°〜６０°の位置にセクションを備え、スクリーンベント３１に連結されるように形成した場合、画面上の歪みは図７に示すようである。
すなわち、水平偏向コイルの４５°〜６０°の範囲内に本発明のインナーピン改善セクション３２を形成した場合、画面上の歪みは、図７に示すように、スクリーンの上下側にＮ／Ｓピンクッションが大きく発生し、若干のインナーピンクッションもやや発生する。
この際、インナーピン改善セクション３２が形成された水平偏向コイルの歪み量は、従来の水平偏向コイルに比較して小さくなって０．４ｍｍ〜０．５ｍｍの値を有し、従来の歪みが１ｍｍ〜１．２ｍｍであることに比べて半分に減少する。
従って、本発明のインナーピン改善セクション３２は、インナーピン歪みの減少に非常に効果的に作用することが分る。
図８はスクリーン上の歪みを説明するためにスクリーンの有効画面を示す正面図である。前記インナーピン改善セクション３２は、図８において、ＡとＢ間の距離（ＡＢ）をＣとＤ間の距離（ＣＤ）より小さくし（ＡＢ＜ＣＤ）、ＡとＣ間の距離（ＡＣ）をＢとＤ間の距離（ＢＤ）より小さくして（ＡＣ＜ＢＤ）、隅部（Ｄ）の位置に局部的に磁界の影響を与える効果がある。
この際、ピンクッション回路でＡＢとＣＤを同一にすると、Ｚ’とＣ間の距離（Ｚ’Ｃ）が減少する効果が生ずる。
図８において、インナーピンは、Ｚ”とＡ間の距離（Ｚ”Ａ）がＺ’とＣ間の距離（Ｚ’Ｃ）より小さいので（Ｚ”Ａ＜Ｚ’Ｃ）、このようにＺ’Ｃが減ると、Ｚ”ＡとＺ’Ｃが同一になって（Ｚ”Ａ＝Ｚ’Ｃ）インナーピン歪みの問題点が解決される。
ところが、インナーピン改善セクション３２のみが形成された水平偏向コイルの場合、解決されていない幾つかの問題点が残るが、上述したように水平偏向コイルにインナーピン改善セクション３２のみを形成すると、ＡＣがＢＤより小さくなって（ＡＣ＜ＢＤ）、結果としてＮ／Ｓピンクッションが発生する現象が生ずる。
この際、発生するＮ／Ｓピンクッションは０．８ｍｍ〜１ｍｍ程度である。
また、スクリーンのコーナーでＧ（緑）の水平成分がＲ（赤）／Ｂ（青）に比べて広くなる現象（ＨＣＲ歪み）が発生する。
前記Ｎ／Ｓピンクッションが発生する問題点の場合、水平偏向コイルの感度と垂直偏向コイルの感度との差を用いてＮ／Ｓ歪みをバレル化させることができる。こうすると、インナーピン改善セクション３２で改善したインナーピン特性を同一にすると共に、Ｎ／Ｓピン特性を改善することができる。
ところが、このように水平偏向コイルの感度と垂直偏向コイルの感度との差を用いてＮ／Ｓ歪みをバレル化した場合、インナーピン特性及びＮＳピン特性の改善という効果をもつことはできるが、これにより発生する問題がある。
この際の問題点は、スクリーンのコーナーでグリーンの垂直成分がＲ（赤）／Ｂ（青）に対比して広くなる現象（ＶＣＲ歪み）が発生することである。
すなわち、インナーピン現象を防止するためにインナーピン改善セクション３２を形成した場合、画面上のインナーピン歪みは改善されるが、Ｎ／Ｓピン特性とＨＣＲ歪み問題が発生し、前記Ｎ／Ｓピン特性を改善するために水平偏向コイルの感度と垂直偏向コイルの感度との差を用いてＮＳ歪みをバレル化すると、Ｎ／Ｓピン特性が良くなって改善されるが、ＶＣＲ歪み問題がさらに発生する。
結果的に、本発明のインナーピン改善セクション３２を水平偏向コイルに形成した場合、インナーピンクッションの改善効果は得られるが、図９に示すように、付随的な問題点としてスクリーンのそれぞれのコーナーにＨＣＲ歪みとＶＣＲ歪みが発生する。
従って、本発明では、かかる問題点を解決することが可能な別途のサブセクションを備えたが、前記サブセクションは、前記インナーピン改善セクション３２を４５°〜６０°の範囲内に形成することにより、発生するＶＣＲ歪みとＨＣＲ歪みを補正するために形成するもので、水平成分のグリーンワイド化を抑えるためのＨＣＲ改善セクション３３と、垂直成分のグリーンワイド化を抑えるためのＶＣＲ改善セクション３４とから構成される。
前記ＨＣＲ改善セクション３３は、スクリーン側の一端が前記スクリーンベント３１に連結され、他端が前記インナーピン改善セクション３２の長さの１／２〜２／３の地点に連結されている。このように形成されたＨＣＲ改善セクション３３は、図１０に示した矢印方向に磁力を作用する。
従って、図９におけるＨＣＲ歪みを引っ張る方向に作用するので、水平成分グリーンワイド化を抑えるのである。
また、前記ＶＣＲ改善セクション３４は、スクリーン側の一端が前記インナーピン改善セクション３２とスクリーンベント３１との連結部位に位置するように連結され、他端が隣接した他のセクションに連結されて、前記ＨＣＲ改善セクション３３に対して平行な角度となるように形成される。このようなＶＣＲ改善セクション３４は図１１に示した矢印方向に磁力を作用する。
このため、図９におけるＶＣＲ歪みを引っ張る方向に作用するので、垂直成分グリーンワイド化を抑えるのである。
従って、前記２つのサブセクション３３、３４によってＨＣＲ歪み及びＶＣＲ歪み現象がなくなるのである。
【０００６】
このような本発明のインナーピン改善セクション３２、ＨＣＲ改善セクション３３及びＶＣＲ改善セクション３４の水平偏向コイルの適用による改善された変化を表１に示した。
【０００７】
【表１】
2004259690.tif 000003
【０００８】
表１から分るように、本発明に係るインナーピン改善セクション３２のみを形成した水平偏向コイルの場合（第１開発品）には、従来の量産品に比べてインナーピンクッションが１．３ｍｍから０．４ｍｍに減少する。ところが、インナーピンクッションは減ったが、ＨＣＲ及びＶＣＲは０．１ｍｍから０．１８ｍｍに増加した。
一方、本発明に係るインナーピン改善セクション３２とＨＣＲ改善セクション３３を形成した水平偏向コイルの場合（第２開発品）には、インナーピンクッションの数値は同様に０．４ｍｍであり、ＨＣＲは大幅減少して０．０５ｍｍであった。ところが、この際のＶＣＲは０．１６ｍｍで、非常に数値が高かった。
また、本発明に係るインナーピン改善セクション３２とＶＣＲ改善セクション３４を形成した場合（第３開発品）には、インナーピンクッションの数値は同様に０．４ｍｍであり、ＶＣＲは大幅減少して０．０５ｍｍであった。ところが、この際のＨＣＲは０．１６ｍｍで、非常に数値が高かった。
一方、本発明に係るインナーピン改善セクション３２、ＨＣＲ改善セクション３３及びＶＣＲ改善セクション３４を形成した場合（第４開発品）には、インナーピンクッションの数値は同様に０．４ｍｍであり、ＨＣＲ及びＶＣＲはそれぞれ０．０３ｍｍであって大きい改善効果があることが分る。
結論的に、本発明のインナーピン改善セクション３２、ＨＣＲ改善セクション３３及びＶＣＲ改善セクション３４を全て形成した水平偏向コイルの場合、インナーピンクッションは０．４ｍｍであり、ＨＣＲ及びＶＣＲは０．０３ｍｍであった。
これは、従来の量産品と比較した場合、インナーピンクッションの改善量は０．９ｍｍ、ＨＣＲ及びＶＣＲの改善量は０．０７ｍｍであった。
従って、本発明の水平偏向コイルは、インナーピンクッション現象を大きく改善するとともにＨＣＲ及びＶＣＲを改善するという効果がある。
【０００９】
【発明の効果】
以上述べたように、本発明は、インナーピンクッションを改善することが可能なインナーピン改善セクション、ＨＣＲ及びＶＣＲを改善することが可能なＨＣＲ改善セクション及びＶＣＲ改善セクションを水平偏向コイルに備えることにより、インナーピン回路を使用せず偏向ヨークを構成する水平偏向コイルを用いてインナーピン補正を行うことができるという効果がある。
従って、既存の製品からインナーピン回路を省略することができるため、偏向ヨークを製作する組立工程の減少と部品数の減少によって製造コストを減らすことができるという効果もある。また、ＨＣＲ及びＶＣＲの改善効果をもたらすことができる。
さらに、本発明は、コーナーのＣ／Ｇの設計マージンが十分であって偏向ヨーク完成工程を減らすことができるという効果もある。
【図面の簡単な説明】
【図１】従来の丸型ＣＲＴを示す概略側面図である。
【図２】従来の平面型ＣＲＴを示す概略側面図である。
【図３】一般的なインナーピン現象を示す正面図である。
【図４】従来のインナーピン補正のためのインナーピンモジュールを示す断面図である。
【図５】本発明に係る水平偏向コイルを示す正面図である。
【図６】本発明のインナーピン改善セクション及びサブセクションがない場合の画面上の歪みを示す正面図である。
【図７】本発明のインナーピン改善セクションのみが備えられた場合の画面上の歪みを示す正面図である。
【図８】スクリーンの有効画面を示す正面図である。
【図９】インナーピン改善セクションのみが設置された場合のＨＣＲ歪みとＶＣＲ歪みを示す正面図である。
【図１０】本発明の水平偏向コイルにおけるＨＣＲ改善セクションの作用を示す正面図である。
【図１１】本発明の水平偏向コイルにおけるＶＣＲ改善セクションの作用を示す正面図である。
【符号の説明】
３０  水平偏向コイル
３１  スクリーンベント
３２  インナーピン改善セクション
３３  ＨＣＲ改善セクション
３４  ＶＣＲ改善セクション
【図１】
2004259690.tif 000004
【図２】
2004259690.tif 000005
【図３】
2004259690.tif 000006
【図４】
2004259690.tif 000007
【図５】
2004259690.tif 000008
【図６】
2004259690.tif 000009
【図７】
2004259690.tif 000010
【図８】
2004259690.tif 000011
【図９】
2004259690.tif 000012
【図１０】
2004259690.tif 000013
【図１１】
2004259690.tif 000014